(57)【要約】【課題】本発明は、非動画像でなるグラフィックのうち解像度非依存型のベクタ形式データについても高精細化した状態で表示できるようにする。【解決手段】本発明は、所定の画像解像度を有する映像データＤ３に対して表示ディスプレイ７の表示解像度に合わせた解像度変換処理を行うことによりアップコンバート映像データＤ９を生成し、非動画像でなるグラフィックのうち解像度非依存型のベクトルフォントデータＤ７を構成している座標値に対して解像度変換処理に合わせた座標補間処理を施すことにより座標補間ベクトルフォントデータＵＶＤ２を生成し、座標補間ベクトルフォントデータＵＶＤ２に対して解像度変換処理を行うことによりベクタ形式のフォント部分グラフィックＧ４を生成し、アップコンバート映像データＤ９とフォント部分グラフィックＧ４とを合成してデータ放送付き番組映像データＤＢ２を生成するようにする。【選択図】図２
2009098304.tif 000002
【特許請求の範囲】
【請求項１】
所定の画像解像度を有する動画像に対して表示手段の表示解像度に合わせた解像度変換処理を行うことにより変換後動画像を生成する解像度変換手段と、
非動画像でなるグラフィックのうち解像度非依存型のベクタ形式データを構成している座標値に対して上記解像度変換処理に合わせた座標補間処理を施すことによりベクタ形式座標補間データを生成する補間手段と、
上記ベクタ形式座標補間データに対して上記解像度変換処理を行うことによりベクタ形式の変換後グラフィックを生成するグラフィック変換手段と、
上記変換後動画像と上記ベクタ形式の変換後グラフィックとを合成することにより合成画像を生成する合成手段と
を具えることを特徴とする画像処理装置。
【請求項２】
上記解像度変換手段は、上記表示手段の表示周波数に合わせて上記変換後動画像の表示周波数を変換し、
上記グラフィック変換手段は、上記表示周波数に合わせて上記ベクタ形式の変換後グラフィックの表示周波数を変換する
ことを特徴とする請求項１に記載の画像処理装置。
【請求項３】
上記グラフィック変換手段は、上記グラフィックのうち解像度依存型のラスタ形式データを上記表示解像度に合わせて解像度変換することによりラスタ形式の変換後グラフィックを生成した後、当該ラスタ形式の変換後グラフィックと上記ベクタ形式の変換後グラフィックとを合成することにより変換後合成グラフィックを生成し、
上記合成手段は、上記変換後動画像と上記変換後合成グラフィックとを合成することにより上記合成画像を生成する
ことを特徴とする請求項１に記載の画像処理装置。
【請求項４】
所定の画像解像度を有する動画像に対して表示手段の表示解像度に合わせた解像度変換処理を行うことにより変換後動画像を生成する解像度変換ステップと、
非動画像でなるグラフィックのうち解像度非依存型のベクタ形式データを構成している座標値に対して上記解像度変換処理に合わせた座標補間処理を施すことによりベクタ形式座標補間データを生成する補間ステップと、
上記ベクタ形式座標補間データに対して上記解像度変換処理を行うことによりベクタ形式の変換後グラフィックを生成するグラフィック変換ステップと、
上記変換後動画像と上記ベクタ形式の変換後グラフィックとを合成することにより合成画像を生成する合成ステップと
を有することを特徴とする画像処理方法。
【発明の詳細な説明】
【技術分野】
【０００１】
本発明は、画像処理装置及び画像処理方法に関し、例えばテレビジョン受信機等のディスプレイ装置に適用して好適なものである。
【背景技術】
【０００２】
近年、地上波ディジタルテレビ放送を受信可能なテレビジョン受信機では、番組の動画像と、データ放送における静止画像、文字、図形、字幕あるいはメニュー画面等の非動画像（以下、これをグラフィックと呼ぶ）とを合成して表示することが一般的に行われている。
【０００３】
一方、表示デバイスの高精細化が進むに連れ、標準以外の高解像度で出力する機会が増えてきた関係上、動画像やグラフィックについても、標準以外の高解像度が求められることも多い。
【０００４】
このような場合に、動画像の解像度を変換し、グラフィックの解像度を変換した後、それぞれを合成するようになされた画像表示装置が提案されている（例えば、特許文献１参照）。
【特許文献１】特開２００３−３３８９９１公報
【発明の開示】
【発明が解決しようとする課題】
【０００５】
ところでかかる構成の画像表示装置においては、グラフィックのうち解像度に依存したドットの集合体でなるラスタ形式のグラフィック（例えばビットマップデータ）と、解像度に依存しない座標値で示されるベクタ形式のグラフィック（例えばベクトルフォントデータ）とについても区別することなく、表示デバイスの解像度に合わせて画素数を単純に倍密度変換することにより解像度変換処理が行われている。
【０００６】
このため画像表示装置では、解像度に依存しないベクタ形式グラフィックについても、解像度に依存するラスタ形式グラフィックと同様に解像度変換しているだけであり、高精細な表示デバイスに表示した際の表示品質を十分に向上させることが出来ないという問題があった。
【０００７】
本発明は以上の点を考慮してなされたもので、非動画像でなるグラフィックのうち解像度非依存型のベクタ形式データについても高精細化した状態で表示し得る画像処理装置及び画像処理方法を提案しようとするものである。
【課題を解決するための手段】
【０００８】
かかる課題を解決するため本発明の画像処理装置及び画像処理方法においては、所定の画像解像度を有する動画像に対して表示手段の表示解像度に合わせた解像度変換処理を行うことにより変換後動画像を生成し、非動画像でなるグラフィックのうち解像度非依存型のベクタ形式データを構成している座標値に対して解像度変換処理に合わせた座標補間処理を施すことによりベクタ形式座標補間データを生成し、ベクタ形式座標補間データに対して解像度変換処理を行うことによりベクタ形式の変換後グラフィックを生成し、変換後動画像とベクタ形式の変換後グラフィックとを合成して合成画像を生成することにより、合成画像が表示手段に対して表示されたとき際におけるベクタ形式の変換後グラフィックの品質を従来に比して一段と向上させることができる。
【発明の効果】
【０００９】
本発明によれば、所定の画像解像度を有する動画像に対して表示手段の表示解像度に合わせた解像度変換処理を行うことにより変換後動画像を生成し、非動画像でなるグラフィックのうち解像度非依存型のベクタ形式データを構成している座標値に対して解像度変換処理に合わせた座標補間処理を施すことによりベクタ形式座標補間データを生成し、ベクタ形式座標補間データに対して解像度変換処理を行うことによりベクタ形式の変換後グラフィックを生成し、変換後動画像とベクタ形式の変換後グラフィックとを合成して合成画像を生成することにより、合成画像が表示手段に対して表示されたとき際におけるベクタ形式の変換後グラフィックの品質を従来に比して一段と向上させることができ、かくして非動画像でなるグラフィックのうち解像度非依存型のベクタ形式データについても高精細化した状態で表示し得る画像処理装置及び画像処理方法を実現することができる。
【発明を実施するための最良の形態】
【００１０】
以下、図面について、本発明の一実施の形態を詳述する。
【００１１】
（１）本発明におけるテレビジョン受信機の構成
図１において、１は全体として本発明を適用したテレビジョン受信機を示し、アンテナ２を介してディジタル放送信号Ｓ１を受信部３によって受信する。
【００１２】
受信部３は、ディジタル放送信号Ｓ１に対して所定の復調処理及び誤り訂正処理等を行うことにより、放送局（図示せず）から送出されたトランスポートストリームデータ（以下、これをＴＳデータと呼ぶ。）Ｄ２を復元し、これをＴＳ分離部４へ送出する。
【００１３】
ＴＳ分離部４は、ＴＳデータＤ２のＴＳパケットに含まれている映像パケットＰ１と、データ放送パケットＰ２とを分離し、映像パケットＰ１及びデータ放送パケットＰ２を表示制御部５へ送出する。
【００１４】
表示制御部５は、映像パケットＰ１をデコードすることにより、例えば解像度が１９２０×１０８０画素及び表示周波数が６０[FPS(Frame Per Second)]の番組映像データを復元する。
【００１５】
また表示制御部５は、同時に、データ放送パケットＰ２をデコードすることにより例えば解像度が９６０×５４０画素及び表示周波数が６０[FPS]のデータ放送画像を復元する。
【００１６】
そして表示制御部５は、その番組映像データに対してデータ放送画像を重畳することにより合成し、その結果得られるデータ放送付き番組映像データＤＢ１を表示ディスプレイ７へ出力する。
【００１７】
これにより表示ディスプレイ７は、当該データ放送付き番組映像データＤＢ１に応じたデータ放送付き番組映像を表示し、そのデータ放送付き番組映像をユーザに目視確認させ得るようになされている。
【００１８】
ところでテレビジョン受信機１では、番組映像データやデータ放送画像よりも、解像度や表示周波数が高い表示ディスプレイ７が搭載されている場合、画像処理部６を介して、番組映像データ及びデータ放送画像を表示ディスプレイ７の解像度及び表示周波数に合わせてアップコンバートする必要がある。
【００１９】
そしてテレビジョン受信機１では、アップコンバートした後の番組映像データに対してアップコンバートした後のデータ放送画像を重畳することにより合成し、その結果得られるデータ放送付き番組映像データＤＢ２を表示ディスプレイ７へ出力することにより、当該データ放送付き番組映像データＤＢ２に応じたデータ放送付き番組映像をユーザに目視確認させ得るようになされている。
【００２０】
（２）表示制御部及び画像処理部の回路構成
ここでは、テレビジョン受信機１が表示制御部５を介してデータ放送付き番組映像データＤＢ１を生成し、これを直接、表示ディスプレイ７へ出力する場合と、テレビジョン受信機１が表示制御部５及び画像処理部６を介してアップコンバートしたデータ放送付き番組映像データＤＢ２を表示ディスプレイ７へ出力する場合とに分けて説明する。
【００２１】
なお表示制御部５及び画像処理部６は、マイクロプロセッサ構成でなり、図示しないＲＯＭ(Read Only Memory)又はハードディスクに格納された基本プログラム及びアプリケーションプログラムに従って、当該表示制御部５及び当該画像処理部６によるアップコンバート処理をソフトウェア的に実行し得るようになされている。
【００２２】
（２−１）データ放送付き番組映像データＤＢ１を生成する場合
実際上、図２に示すように表示制御部５は、ＴＳ分離部４から供給された映像パケットＰ１を動画像デコーダ１１に入力すると共に、データ放送パケットＰ２をデータ振分回路１４に入力する。
【００２３】
動画像デコーダ１１は、例えばＭＰＥＧ(Moving Picture Experts Group)２規格に準拠した方法により映像パケットＰ１に対してＭＰＥＧデコード処理を施し、圧縮符号化前の映像データＤ３を復元し、その映像データＤ３を合成回路１５へ送出する。
【００２４】
データ振分回路１４は、データ放送パケットＰ２をデコードし、その結果得られるデータ放送データＤ４を描画回路１３へ送出する。
【００２５】
描画回路１３は、データ放送データＤ４に基づいて、データ放送画像を構成する静止画、ＧＵＩ(Graphical User Interface)画像、テキスト及びアイコン等のパーツを描画処理し、その結果得られる描画データＤ５をグラフィック生成回路１２へ送出する。
【００２６】
グラフィック生成回路１２は、描画データＤ５に基づいて上述した複数のパーツを組み合わせる等のグラフィック処理を実行することにより、映像データＤ３に対応した番組映像に重畳すべきデータ放送グラフィックＧ１を生成し、これを合成回路１５へ送出する。
【００２７】
因みに、表示ディスプレイ７の解像度が例えば１９２０×１０８０画素、表示周波数が６０[FPS]であった場合、映像データＤ３の解像度は１９２０×１０８０画素、表示周波数は６０[FPS]であるため揃うものの、データ放送グラフィックＧ１の解像度は９６０×５４０画素、表示周波数は６０[FPS]であって揃っていない。
【００２８】
合成回路１５は、映像データＤ３に対してデータ放送グラフィックＧ１を重畳することにより合成し、その結果得られるデータ放送付き番組映像データＤＢ１を表示ディスプレイ７へ直接出力するようになされている。
【００２９】
従って表示ディスプレイ７は、映像データＤ３に応じた番組映像の所定部分に対して、データ放送グラフィックＧ１に応じたデータ放送画像を重ねた状態で表示するようになされている。
【００３０】
（２−２）アップコンバートしたデータ放送付き番組映像データＤＢ２を生成する場合
この場合の表示制御部５では、動画像デコーダ１１により復元した映像データＤ３を合成回路１５へ送出することなく、後段の画像処理部６における倍密度倍速変換回路１６へ送出する。
【００３１】
倍密度倍速変換回路１６は、表示ディスプレイ７の解像度に合わせて、映像データＤ３の解像度が倍密度となるようアップコンバートしたり、表示ディスプレイ７の表示周波数に合わせて、映像データＤ３の表示周波数（リフレッシュレート）を倍速変換し、その結果得られるアップコンバート映像データＤ９を、次の動画・グラフィック合成回路２３へ送出する。
【００３２】
因みに、倍密度倍速変換回路１６では、表示ディスプレイ７の解像度及び表示周波数に合わせて、アップコンバート映像データＤ９における解像度（１９２０×１０８０画素）及び表示周波数（６０[FPS]）を、例えば１９２０×１０８０画素及び１２０[FPS]、３８４０×２１６０画素及び６０[FPS]、３８４０×２１６０画素及び１２０[FPS]の何れかに設定し得るようになされている。
【００３３】
実際上、倍密度倍速変換回路１６は、表示ディスプレイ７の解像度（１９２０×１０８０画素）及び表示周波数（１２０[FPS]）に合わせて、アップコンバート映像データＤ９における解像度（１９２０×１０８０画素）及び表示周波数（６０[FPS]）を、例えば３８４０×２１６０画素及び１２０[FPS]に設定する。
【００３４】
一方、データ振分回路１４は、データ放送パケットＰ２をデコードした結果得られるデータ放送データＤ４のうち、静止画データ等のラスタ形式でなるビットマップデータＤ６については、描画回路１３へ送出する。
【００３５】
同時にデータ振分回路１４は、データ放送データＤ４のうち解像度に依存しない座標値で示されるベクタ形式の例えばベクトルフォントデータＤ７については画像処理部６のフォントデータ倍／４倍密度展開回路２０へ送出する。
【００３６】
表示制御部５の描画回路１３は、データ振分回路１４から供給されたビットマップデータＤ６に基づいてデータ放送画像を構成するビットマップ形式部分のパーツを描画処理し、その結果得られる描画データＤ８をグラフィック生成回路１２へ送出する。
【００３７】
グラフィック生成回路１２は、描画データＤ８に対してグラフィック処理を実行することにより、映像データＤ３に対応した番組映像に重畳すべきビットマップ形式のデータ放送部分グラフィックＧ２を生成し、これを後段の画像処理部６における倍／４倍密度倍速変換回路１７へ送出する。
【００３８】
倍／４倍密度倍速変換回路１７は、表示ディスプレイ７の解像度に合わせて、データ放送部分グラフィックＧ２の解像度が倍密度又は４倍密度となるようアップコンバートしたり、表示ディスプレイ７の表示周波数に合わせて、データ放送部分グラフィックＧ２の表示周波数（リフレッシュレート）を倍速変換し、その結果得られるビットマップ形式のデータ放送部分グラフィックＧ３を、次のグラフィック合成回路２２へ送出する。
【００３９】
因みに倍／４倍密度倍速変換回路１７は、表示ディスプレイ７の解像度及び表示周波数に合わせて、データ放送部分グラフィックＧ２における解像度（９６０×５４０画素）及び表示周波数（６０[FPS]）を、例えば１９２０×１０８０画素及び１２０[FPS]、３８４０×２１６０画素及び６０[FPS]、３８４０×２１６０画素及び１２０[FPS]の何れかに設定し得るようになされている。
【００４０】
実際上、倍／４倍密度倍速変換回路１７は、表示ディスプレイ７の解像度（１９２０×１０８０画素）及び表示周波数（１２０[FPS]）に合わせて、データ放送部分グラフィックＧ２における解像度（９６０×５４０画素）及び表示周波数（６０[FPS]）を、例えば３８４０×２１６０画素及び１２０[FPS]に設定する。
【００４１】
画像処理部６のフォントデータ倍／４倍密度展開回路２０は、表示ディスプレイ７の解像度に合わせて、ベクトルフォントデータＤ７の解像度が倍密度又は４倍密度となるようアップコンバートしたり、表示ディスプレイ７の表示周波数に合わせて、ベクトルフォントデータＤ７の表示周波数（リフレッシュレート）を倍速変換し、その結果得られるアップコンバートベクトルフォントデータＵＶＤ１を、次の座標補間回路２１へ送出する。
【００４２】
座標補間回路２１は、アップコンバートベクトルフォントデータＵＶＤ１の座標値に対して、フォントデータ倍／４倍密度展開回路２０によるアップコンバートの倍率に応じた中間の座標値を適宜補間することにより座標補間ベクトルフォントデータＵＶＤ２を生成し、これを描画回路１９へ送出するようになされている。
【００４３】
なおデータ振分回路１４は、ベクトルフォントデータＤ７の座標値を補間することなく単純に描画処理する場合には、画像処理部６のフォントデータ倍／４倍密度展開回路２０を介することなく画像処理部６の描画回路１９へ当該ベクトルフォントデータＤ７を直接供給するようになされている。
【００４４】
描画回路１９は、座標補間ベクトルフォントデータＵＶＤ２又はベクトルフォントデータＤ７に対して、番組映像に重畳すべきデータ放送画像を構成するための描画処理を施し、その結果得られる描画データＤ１０をグラフィック倍／４倍密度倍速処理回路１８へ送出する。
【００４５】
グラフィック倍／４倍密度倍速処理回路１８は、描画データＤ１０に対してグラフィック処理を実行することにより、倍／４倍密度倍速変換回路１７から供給されたデータ放送部分グラフィックＧ３に対して合成すべきベクタ形式のフォント部分グラフィックＧ４を生成し、これをグラフィック合成回路２２へ送出する。
【００４６】
グラフィック合成回路２２は、倍／４倍密度倍速変換回路１７から供給されたデータ放送部分グラフィックＧ３とグラフィック倍／４倍密度倍速処理回路１８から供給されたフォント部分グラフィックＧ４とを合成することにより、倍密度倍速変換回路１６から供給されたアップコンバート映像データＤ９に対して重畳すべきデータ放送グラフィックＧ５を生成し、これを動画・グラフィック合成回路２３へ送出する。
【００４７】
動画・グラフィック合成回路２２は、倍密度倍速変換回路１６から供給されたアップコンバート映像データＤ９に対してグラフィック合成回路２２から供給されたデータ放送グラフィックＧ５を重畳することにより合成し、その結果得られるデータ放送付き番組映像データＤＢ２を表示ディスプレイ７へ出力するようになされている。
【００４８】
従って表示ディスプレイ７は、当該表示ディスプレイ７に合わせて解像度のアップコンバート及び表示周波数（リフレッシュレート）の倍速変換が行われたアップコンバート映像データＤ９に応じた高精細な番組映像に対して、データ放送グラフィックＧ５に対応したデータ放送画像を重ねた状態で表示し得るようになされている。
【００４９】
（３）動作及び効果
以上の構成において、テレビジョン受信機１では、データ振分回路１４によってデコードされた結果のデータ放送データＤ４のうち、ベクタ形式のベクトルフォントデータＤ７については、画像処理部６のフォントデータ倍／４倍密度展開回路２０により、倍密度倍速変換回路１６による映像データＤ３に対するアップコンバートの倍率に合わせてアップコンバートし、表示周波数についても同様に倍速変換することによりアップコンバートベクトルフォントデータＵＶＤ１を生成する。
【００５０】
そしてテレビジョン受信機１は、座標補間回路２１によりアップコンバートベクトルフォントデータＵＶＤ１に対して中間の座標値を適宜補間することにより座標補間ベクトルフォントデータＵＶＤ２を生成する。
【００５１】
これによりテレビジョン受信機１は、標準の解像度（例えば１９２０×１０８０画素）よりも高精細な表示ディスプレイ７の解像度に合わせた高精細な座標補間ベクトルフォントデータＵＶＤ２を生成することができる。
【００５２】
その後テレビジョン受信機１は、座標補間ベクトルフォントデータＵＶＤ２を、描画回路１９及びグラフィック倍／４倍密度倍速処理回路１８を介して表示ディスプレイ７の解像度及び表示周波数に合わせたフォント部分グラフィックＧ４を生成し、グラフィック合成回路２２によりデータ放送部分グラフィックＧ３とフォント部分グラフィックＧ４とを合成することにより、番組映像に重畳すべきデータ放送グラフィックＧ５を生成することができる。
【００５３】
実際上、テレビジョン受信機１が描画回路１９、グラフィック倍／４倍密度倍速処理回路１８及びグラフィック合成回路２２を介して生成したデータ放送グラフィックＧ５を表示ディスプレイ７に表示した場合、図３（Ａ）及び（Ｂ）に示すように、高解像度化処理前と高解像度化後との間で、ベクタ形式のフォントの精細さについては大きな変化が生じていることが分かる。
【００５４】
すなわちテレビジョン受信機１は、ベクタ形式のベクトルフォントデータＤ７に対してフォントデータ倍／４倍密度展開回路２０による倍密度変換処理を行い、座標補間回路２１により当該倍密度変換に合わせた座標値の補間処理を施したことにより、その座標値に基づいて解像度の高い表示ディスプレイ７に高精細なフォント表示を行うことができるので、データ放送グラフィックＧ５におけるベクタ形式のフォントを一段と滑らかに表現することができる。
【００５５】
またテレビジョン受信機１は、図４に示すように、データ放送グラフィックＧ５の表示周波数についても表示ディスプレイ７に合わせて６０[FPS]から１２０[FPS]へ倍速変換し、フレーム間補間処理を行っているため、図５に示すように、データ放送画像のフォントが動く場合にも、斜線で示す補間した座標値を用いて滑らかな動きを表現することができる、
【００５６】
従ってテレビジョン受信機１では、同様に、図６に示すように、データ放送画像のフォントの動きに角度がある場合でも、元々の座標値に対応した画素ＰＸ１〜ＰＸ４に、補間した座標値に対応した新たな補間画素ＮＰＸ１〜ＮＰＸ３を介して滑らかな動きを表現することができる。
【００５７】
以上の構成によれば、テレビジョン受信機１は、表示ディスプレイ７の解像度及び表示周波数が上がる一方、番組映像に重畳すべきデータ放送グラフィック画像Ｇ２の解像度及び表示周波数が追従できていない場合でも、表示ディスプレイ７の解像度及び表示周波数に合わせてアップコンバートしたデータ放送グラフィックＧ５のベクタ形式のフォント（図３（Ｂ））については高精細に表示することができる。
【００５８】
（４）他の実施の形態
なお上述の実施の形態においては、倍密度倍速変換回路１６により、表示ディスプレイ７の解像度及び表示周波数に合わせて、アップコンバート映像データＤ９における解像度（１９２０×１０８０画素）及び表示周波数（６０[FPS]）を、例えば１９２０×１０８０画素及び１２０[FPS]、３８４０×２１６０画素及び６０[FPS]、３８４０×２１６０画素及び１２０[FPS]の何れかに設定するようにした場合について述べたが、本発明はこれに限らず、これら以外の種々の解像度及び表示周波数に設定するようにしても良い。
【００５９】
また上述の実施の形態においては、倍／４倍密度倍速変換回路１７により、表示ディスプレイ７の解像度及び表示周波数に合わせて、データ放送部分グラフィックＧ２における解像度（９６０×５４０画素）及び表示周波数（６０[FPS]）を、例えば１９２０×１０８０画素及び１２０[FPS]、３８４０×２１６０画素及び６０[FPS]、３８４０×２１６０画素及び１２０[FPS]の何れかに設定するようにした場合について述べたが、本発明はこれに限らず、これら以外の種々の解像度及び表示周波数に設定するようにしても良い。
【００６０】
さらに上述の実施の形態においては、ベクタ形式のベクトルフォントデータＤ７に対してフォントデータ倍／４倍密度展開回路２０による倍密度変換処理を行い、座標補間回路２１により当該倍密度変換に合わせた座標値の補間処理を施すようにした場合について述べたが、本発明はこれに限らず、ベクタ形式のアイコンやカーソルに対して倍密度変換処理を行い、座標値の補間処理を施すようにしても良い。この場合もアイコン表示及びカーソル表示を滑らかに表現することができる。
【００６１】
さらに上述の実施の形態においては、テレビジョン受信機１の表示制御部５及び画像処理部６が予めインストールされたアプリケーションプログラムに従って上述のアップコンバートによるデータ放送付き番組映像データＤＢ２の生成処理を行うようにした場合について述べたが、本発明はこれに限らず、記録媒体からインストールしたアプリケーションプログラム、その他種々のルートによってインストールしたアプリケーションプログラムに従って上述のアップコンバートによるデータ放送付き番組映像データＤＢ２の生成処理を行うようにしても良い。
【００６２】
さらに上述の実施の形態においては、ディジタル放送信号Ｓ１から復元したデータ放送データＤ４に含まれるベクタ形式のベクトルフォントデータＤ７に対して、フォントデータ倍／４倍密度展開回路２０によるアップコンバート及び座標補間回路２１による座標補間処理を行うようにした場合について述べたが、本発明はこれに限らず、テレビジョン受信機１自身が生成したメニュー画面等に含まれるベクタ形式のベクトルフォントデータに対してフォントデータ倍／４倍密度展開回路２０によるアップコンバート及び座標補間回路２１による座標補間処理を行うようにしても良い。
【００６３】
さらに上述の実施の形態においては、マイクロプロセッサ構成でなる表示制御部５及び画像処理部６により上述したアップコンバート処理をソフトウェア的に実行するようにした場合について述べたが、本発明はこれに限らず、アップコンバート処理を上述した回路ブロックに相当するハード構成によりハードウェア的に実行するようにしても良い。
【００６４】
さらに上述の実施の形態においては、解像度変換手段としての倍密度倍速変換回路１６、補間手段としての座標補間回路２１、グラフィック変換手段としてのグラフィック倍／４倍密度倍速処理回路１８、合成手段としての動画・グラフィック合成回路２３によって本発明の画像処理装置を構成するようにした場合について述べたが、本発明はこれに限らず、その他種々のソフトウェア又はハードウェアによる構成でなる解像度変換手段、補間手段、グラフィック変換手段及び合成手段によって本発明の画像処理装置を構成するようにしても良い。
【産業上の利用可能性】
【００６５】
本発明の画像処理装置及び画像処理方法は、例えばテレビジョン受信機以外にもパーソナルコンピュータのモニター、携帯電話機のディスプレイ、ゲーム機器のディスプレイ等のその他種々の表示機器に適用することができる。
【図面の簡単な説明】
【００６６】
【図１】本発明のテレビジョン受信機の回路構成を示す略線的ブロック図である。
【図２】表示制御部及び画像処理部の回路構成を示す略線的ブロック図である。
【図３】フォントの高解像度化例を示す略線図である。
【図４】フレーム間補間の説明に供する略線図である。
【図５】位置座標補間例（１）を示す略線図である。
【図６】位置座標補間例（２）を示す略線図である。
【符号の説明】
【００６７】
１……テレビジョン受信機、２……アンテナ、３……受信部、４……ＴＳ分離部、５……表示制御部、６……画像処理部、７……表示ディスプレイ、１１……動画像デコーダ、１２、１８……グラフィック生成回路、１３、１９……描画回路、１４……データ振分回路、１５……合成回路、１６……倍密度倍速変換回路、１７……倍／４倍密度倍速変換回路、２０……フォントデータ倍／４倍密度展開回路、２１……座標補間回路、２２……グラフィック合成回路、２３……動画・グラフィック合成回路。
【図１】
2009098304.tif 000003
【図２】
2009098304.tif 000004
【図３】
2009098304.tif 000005
【図４】
2009098304.tif 000006
【図５】
2009098304.tif 000007
【図６】
2009098304.tif 000008